(57)【要約】【課題】包装箱を分離して２つのトレーを形成することができる包装箱であって、製造コストを抑えることができる包装箱と、該包装箱を形成するためのブランクを提供する。【解決手段】ブランク５’は、糊代部１０と正面部２０と底面部３０と背面部４０と上面部５０とを有するスリーブ構成部７と、スリーブ構成部７から両側に突出したフラップ２２、２４、３２、３４、４２、４４、５２、５４とを有し、正面部２０とフラップ２２、２４には、切目線Ｋ１と切目線Ｋ２が形成され、背面部４０とフラップ４２、４４には、切目線Ｋ３が形成されている。【選択図】図１
0003180230.tif 000002
【実用新案登録請求の範囲】
【請求項１】
包装箱を形成するためのブランクである包装箱用ブランクであって、
包装箱用ブランクが１枚のシート状のブランクにより形成され、
スリーブ構成部で、糊代部と、糊代部から第１折れ線を介して連設された方形状の外形を有する第１板状部と、第１板状部の第１折れ線とは反対側の辺部から第２折れ線を介して連設された方形状の外形を有する第２板状部と、第２板状部の第２折れ線とは反対側の辺部から第３折れ線を介して連設された方形状の外形を有する第３板状部と、第３板状部の第３折れ線とは反対側の辺部から第４折れ線を介して連設された方形状の外形を有する第４板状部とを有し、第１折れ線と第２折れ線と第３折れ線と第４折れ線とが互いに平行に形成されたスリーブ構成部と、
スリーブ構成部における第１折れ線と平行な方向である第１方向の両側から突出して形成された複数のフラップからなるフラップ群で、第１板状部における相対する一対の辺部における各辺部から折れ線を介して連設されたフラップと、第２板状部における相対する一対の辺部における各辺部から折れ線を介して連設されたフラップと、第３板状部における相対する一対の辺部における各辺部から折れ線を介して連設されたフラップと、第４板状部における相対する一対の辺部における各辺部から折れ線を介して連設されたフラップとからなるフラップ群と、
を有し、
第１板状部と第３板状部の一方である第１対象板状部と、第１対象板状部から折れ線を介して連設された一対のフラップである第１対象フラップと第２対象フラップにおいて、第１対象フラップにおける第１対象板状部側とは反対側の端部から第１対象板状部を経て第２対象フラップにおける第１対象板状部側とは反対側の端部まで連続して形成された第１切目線と、第１対象フラップにおける第１対象板状部側とは反対側の端部から第１対象板状部を経て第２対象フラップにおける第１対象板状部側とは反対側の端部まで連続して形成された第２切目線とが、互いに間隔を介して形成され、
第１板状部と第３板状部の他方である第２対象板状部と、第２対象板状部から折れ線を介して連設された一対のフラップである第３対象フラップと第４対象フラップにおいて、第３切目線が、第３対象フラップにおける第２対象板状部側とは反対側の端部から第２対象板状部を経て第４対象フラップにおける第２対象板状部側とは反対側の端部まで連続して第１方向に形成されるとともに、第２対象板状部における第１方向とは直角方向である第２方向において略中心位置に形成され、
糊代部を第４板状部に接着し、第１板状部と第３板状部とが互いに平行で、第２板状部と第４板状部とが互いに平行とすることによりスリーブ構成部がスリーブ状に構成され、スリーブ構成部がスリーブ状の状態で互いに隣接するフラップ同士を接着することにより包装箱が形成され、
包装箱の状態で、第１切目線と第２切目線と第３切目線とを破断することにより、２つのトレー状の容器が形成されることを特徴とする包装箱用ブランク。
【請求項２】
第１切目線と第２切目線は、第１対象板状部と第１対象フラップと第２対象フラップとにおいて、第２方向における略中心位置を通る第１方向の仮想中心線を介して対称に形成されていることを特徴とする請求項１に記載の包装箱用ブランク。
【請求項３】
第３切目線は、直線状に形成されていることを特徴とする請求項１又は２に記載の包装箱用ブランク。
【請求項４】
第１切目線は、第１対象フラップの第１対象板状部とは反対側の端部から第１対象板状部の第１対象フラップ側の端部領域まで第１方向に直線状に形成された第１部分と、第２対象フラップの第１対象板状部とは反対側の端部から第１対象板状部の第２対象フラップ側の端部領域まで第１方向に直線状に形成された第２部分と、第１部分と第２部分間に形成され、第１部分や第２部分よりも第２切目線側とは反対側に形成された第３部分とから構成され、第１部分と第２部分とが同一直線上に形成され、
第２切目線は、第１対象フラップの第１対象板状部とは反対側の端部から第１対象板状部の第１対象フラップ側の端部領域まで第１方向に直線状に形成された第４部分と、第２対象フラップの第１対象板状部とは反対側の端部から第１対象板状部の第２対象フラップ側の端部領域まで第１方向に直線状に形成された第５部分と、第４部分と第５部分間に形成され、第４部分や第５部分よりも第１切目線側とは反対側に形成された第６部分とから構成され、第４部分と第５部分とが同一直線上に形成されていることを特徴とする請求項１又は２又は３に記載の包装箱用ブランク。
【請求項５】
包装箱を形成するためのブランクである包装箱用ブランクであって、
包装箱用ブランクが１枚のシート状のブランクにより形成され、
スリーブ構成部で、糊代部と、糊代部から第１折れ線を介して連設された方形状の外形を有する第１板状部と、第１板状部の第１折れ線とは反対側の辺部から第２折れ線を介して連設された方形状の外形を有する第２板状部と、第２板状部の第２折れ線とは反対側の辺部から第３折れ線を介して連設された方形状の外形を有する第３板状部と、第３板状部の第３折れ線とは反対側の辺部から第４折れ線を介して連設された方形状の外形を有する第４板状部とを有し、第１折れ線と第２折れ線と第３折れ線と第４折れ線とが互いに平行に形成されたスリーブ構成部と、
スリーブ構成部における第１折れ線と平行な方向である第１方向の両側から突出して形成された複数のフラップからなるフラップ群で、第１板状部における相対する一対の辺部における各辺部から折れ線を介して連設されたフラップと、第２板状部における相対する一対の辺部における各辺部から折れ線を介して連設されたフラップと、第３板状部における相対する一対の辺部における各辺部から折れ線を介して連設されたフラップと、第４板状部における相対する一対の辺部における各辺部から折れ線を介して連設されたフラップとからなるフラップ群と、
を有し、
第１板状部と第３板状部の一方である第１対象板状部と、第１対象板状部から折れ線を介して連設された一対のフラップである第１対象フラップと第２対象フラップにおいて、第１対象フラップにおける第１対象板状部側とは反対側の端部から第１対象板状部を経て第２対象フラップにおける第１対象板状部側とは反対側の端部まで連続して形成された第１切目線と、第１対象フラップにおける第１対象板状部側とは反対側の端部から第１対象板状部を経て第２対象フラップにおける第１対象板状部側とは反対側の端部まで連続して形成された第２切目線とが、第１対象板状部と第１対象フラップと第２対象フラップとにおいて、第２方向における略中心位置を通る第１方向の仮想中心線を介して対称に互いに間隔を介して形成され、第１切目線は、第１対象フラップの第１対象板状部とは反対側の端部から第１対象板状部の第１対象フラップ側の端部領域まで第１方向に直線状に形成された第１部分と、第２対象フラップの第１対象板状部とは反対側の端部から第１対象板状部の第２対象フラップ側の端部領域まで第１方向に直線状に形成された第２部分と、第１部分と第２部分間に形成され、第１部分や第２部分よりも第２切目線側とは反対側に形成された第３部分とから構成され、第１部分と第２部分とが同一直線上に形成され、第２切目線は、第１対象フラップの第１対象板状部とは反対側の端部から第１対象板状部の第１対象フラップ側の端部領域まで第１方向に直線状に形成された第４部分と、第２対象フラップの第１対象板状部とは反対側の端部から第１対象板状部の第２対象フラップ側の端部領域まで第１方向に直線状に形成された第５部分と、第４部分と第５部分間に形成され、第４部分や第５部分よりも第１切目線側とは反対側に形成された第６部分とから構成され、第４部分と第５部分とが同一直線上に形成され
第１板状部と第３板状部の他方である第２対象板状部と、第２対象板状部から折れ線を介して連設された一対のフラップである第３対象フラップと第４対象フラップにおいて、第３切目線が、第３対象フラップにおける第２対象板状部側とは反対側の端部から第２対象板状部を経て第４対象フラップにおける第２対象板状部側とは反対側の端部まで連続して第１方向に直線状に形成されるとともに、第２対象板状部における第１方向とは直角方向である第２方向において略中心位置に形成され、
糊代部を第４板状部に接着し、第１板状部と第３板状部とが互いに平行で、第２板状部と第４板状部とが互いに平行とすることによりスリーブ構成部がスリーブ状に構成され、スリーブ構成部がスリーブ状の状態で互いに隣接するフラップ同士を接着することにより包装箱が形成され、
包装箱の状態で、第１切目線と第２切目線と第３切目線とを破断することにより、２つのトレー状の容器が形成されることを特徴とする包装箱用ブランク。
【請求項６】
第３部分と第５部分とが略円弧状であることを特徴とする請求項４又は５に記載の包装箱用ブランク。
【請求項７】
包装箱であって、
包装箱が１枚のシート状のブランクにより形成され、
スリーブ状部で、糊代部と、糊代部から第１折れ線を介して連設された方形状の外形を有する第１板状部と、第１板状部の第１折れ線とは反対側の辺部から第２折れ線を介して連設された方形状の外形を有する第２板状部と、第２板状部の第２折れ線とは反対側の辺部から第３折れ線を介して連設された方形状の外形を有する第３板状部と、第３板状部の第３折れ線とは反対側の辺部から第４折れ線を介して連設された方形状の外形を有する第４板状部とを有し、第１折れ線と第２折れ線と第３折れ線と第４折れ線とが互いに平行に形成されたスリーブ状部と、
スリーブ状部における両側の開口部から突出して形成された複数のフラップからなるフラップ群で、第１板状部における相対する一対の辺部における各辺部から折れ線を介して連設されたフラップと、第２板状部における相対する一対の辺部における各辺部から折れ線を介して連設されたフラップと、第３板状部における相対する一対の辺部における各辺部から折れ線を介して連設されたフラップと、第４板状部における相対する一対の辺部における各辺部から折れ線を介して連設されたフラップとからなるフラップ群と、
を有し、
第１板状部と第３板状部の一方である第１対象板状部と、第１対象板状部から折れ線を介して連設された一対のフラップである第１対象フラップと第２対象フラップにおいて、第１対象フラップにおける第１対象板状部側とは反対側の端部から第１対象板状部を経て第２対象フラップにおける第１対象板状部側とは反対側の端部まで連続して形成された第１切目線と、第１対象フラップにおける第１対象板状部側とは反対側の端部から第１対象板状部を経て第２対象フラップにおける第１対象板状部側とは反対側の端部まで連続して形成された第２切目線とが、互いに間隔を介して形成され、
第１板状部と第３板状部の他方である第２対象板状部と、第２対象板状部から折れ線を介して連設された一対のフラップである第３対象フラップと第４対象フラップにおいて、第３切目線が、第３対象フラップにおける第２対象板状部側とは反対側の端部から第２対象板状部を経て第４対象フラップにおける第２対象板状部側とは反対側の端部まで連続して形成され、スリーブ状部において第２対象板状部と隣接する板状部間の方向において略中心位置に形成され、
糊代部が第４板状部に接着されるとともに、互いに隣接するフラップ同士が接着され、
第１板状部と第３板状部とが互いに平行で、第２板状部と第４板状部とが互いに平行であり、
第１切目線と第２切目線と第３切目線とを破断することにより、２つのトレー状の容器が形成されることを特徴とする包装箱。
【請求項８】
第１切目線における第１対象板状部に形成された部分と、第２切目線における第２対象板状部に形成された部分とは、スリーブ状部において第１対象板状部と隣接する板状部間の方向で、第１折れ線の方向である第１方向と直角の方向である第２方向における略中心位置を通る仮想中心線で第１方向の仮想中心線を介して対称に形成されていることを特徴とする請求項７に記載の包装箱。
【請求項９】
第３切目線は、第２対象板状部に形成された直線状の第１部分と、第３対象フラップに形成され第１部分と直角の直線状に形成された第２部分と、第４対象フラップに形成され第１部分と直角の直線状に形成された第３部分とを有することを特徴とする請求項７又は８に記載の包装箱。
【考案の詳細な説明】
【技術分野】
【０００１】
本考案は、包装箱用ブランクと該ブランクにより形成された包装箱及び該ブランクによる包装方法に関するものである。
【背景技術】
【０００２】
従来より、箱状の構成から２つのトレー状の構成を形成する包装箱として特許文献１や特許文献２に記載の包装箱が存在する。
【０００３】
この特許文献１の包装箱は、隣接状態に並設され、連結片によって互いに連結された２つのトレーと、２つのトレーに被せる蓋とを有し、蓋の端壁の下部内面には、トレーの端壁（又は側壁）との貼着部を有しており、トレーの隣接部および貼着部の上端に沿ってミシン目及びカットテープが設けられ、カットテープによって蓋の上部を切り離すと、２つのトレーが表れる。
【先行技術文献】
【特許文献】
【０００４】
【特許文献１】実開平５−３５６２９号公報
【特許文献２】実開平５−３５６３０号公報
【考案の概要】
【考案が解決しようとする課題】
【０００５】
しかし、特許文献１や特許文献２の包装箱においては、２つのトレーと蓋が必要になり、３つのブランクにより形成する必要があり、製造コストが掛かるという問題があった。
【０００６】
そこで、本考案は、包装箱を分離して２つのトレーを形成することができる包装箱であって、製造コストを抑えることができる包装箱と、該包装箱を形成するためのブランクを提供することを目的とするものである。
【課題を解決するための手段】
【０００７】
本考案は上記問題点を解決するために創作されたものであって、第１には、包装箱を形成するためのブランクである包装箱用ブランクであって、包装箱用ブランクが１枚のシート状のブランクにより形成され、スリーブ構成部で、糊代部と、糊代部から第１折れ線を介して連設された方形状の外形を有する第１板状部と、第１板状部の第１折れ線とは反対側の辺部から第２折れ線を介して連設された方形状の外形を有する第２板状部と、第２板状部の第２折れ線とは反対側の辺部から第３折れ線を介して連設された方形状の外形を有する第３板状部と、第３板状部の第３折れ線とは反対側の辺部から第４折れ線を介して連設された方形状の外形を有する第４板状部とを有し、第１折れ線と第２折れ線と第３折れ線と第４折れ線とが互いに平行に形成されたスリーブ構成部と、スリーブ構成部における第１折れ線と平行な方向である第１方向の両側から突出して形成された複数のフラップからなるフラップ群で、第１板状部における相対する一対の辺部における各辺部から折れ線を介して連設されたフラップと、第２板状部における相対する一対の辺部における各辺部から折れ線を介して連設されたフラップと、第３板状部における相対する一対の辺部における各辺部から折れ線を介して連設されたフラップと、第４板状部における相対する一対の辺部における各辺部から折れ線を介して連設されたフラップとからなるフラップ群と、を有し、第１板状部と第３板状部の一方である第１対象板状部と、第１対象板状部から折れ線を介して連設された一対のフラップである第１対象フラップと第２対象フラップにおいて、第１対象フラップにおける第１対象板状部側とは反対側の端部から第１対象板状部を経て第２対象フラップにおける第１対象板状部側とは反対側の端部まで連続して形成された第１切目線と、第１対象フラップにおける第１対象板状部側とは反対側の端部から第１対象板状部を経て第２対象フラップにおける第１対象板状部側とは反対側の端部まで連続して形成された第２切目線とが、互いに間隔を介して形成され、第１板状部と第３板状部の他方である第２対象板状部と、第２対象板状部から折れ線を介して連設された一対のフラップである第３対象フラップと第４対象フラップにおいて、第３切目線が、第３対象フラップにおける第２対象板状部側とは反対側の端部から第２対象板状部を経て第４対象フラップにおける第２対象板状部側とは反対側の端部まで連続して第１方向に形成されるとともに、第２対象板状部における第１方向とは直角方向である第２方向において略中心位置に形成され、糊代部を第４板状部に接着し、第１板状部と第３板状部とが互いに平行で、第２板状部と第４板状部とが互いに平行とすることによりスリーブ構成部がスリーブ状に構成され、スリーブ構成部がスリーブ状の状態で互いに隣接するフラップ同士を接着することにより包装箱が形成され、包装箱の状態で、第１切目線と第２切目線と第３切目線とを破断することにより、２つのトレー状の容器が形成されることを特徴とする。
【０００８】
第１の構成の包装箱用ブランクによれば、包装箱を分離して２つのトレーを形成することができる包装箱を１つのブランクにより形成することができるので、製造コストを抑えることができる。
【０００９】
また、第２には、上記第１の構成において、第１切目線と第２切目線は、第１対象板状部と第１対象フラップと第２対象フラップとにおいて、第２方向における略中心位置を通る第１方向の仮想中心線を介して対称に形成されていることを特徴とする。よって、２つのトレー状の容器とした際に、容器の正面側（第１対象板状部側）が同一形状のトレー状の容器を得ることができる。
【００１０】
また、第３には、上記第１又は第２の構成において、第３切目線は、直線状に形成されていることを特徴とする。
【００１１】
また、第４には、上記第１から第３までのいずれかの構成において、第１切目線は、第１対象フラップの第１対象板状部とは反対側の端部から第１対象板状部の第１対象フラップ側の端部領域まで第１方向に直線状に形成された第１部分と、第２対象フラップの第１対象板状部とは反対側の端部から第１対象板状部の第２対象フラップ側の端部領域まで第１方向に直線状に形成された第２部分と、第１部分と第２部分間に形成され、第１部分や第２部分よりも第２切目線側とは反対側に形成された第３部分とから構成され、第１部分と第２部分とが同一直線上に形成され、第２切目線は、第１対象フラップの第１対象板状部とは反対側の端部から第１対象板状部の第１対象フラップ側の端部領域まで第１方向に直線状に形成された第４部分と、第２対象フラップの第１対象板状部とは反対側の端部から第１対象板状部の第２対象フラップ側の端部領域まで第１方向に直線状に形成された第５部分と、第４部分と第５部分間に形成され、第４部分や第５部分よりも第１切目線側とは反対側に形成された第６部分とから構成され、第４部分と第５部分とが同一直線上に形成されていることを特徴とする。
【００１２】
また、第５には、包装箱を形成するためのブランクである包装箱用ブランクであって、包装箱用ブランクが１枚のシート状のブランクにより形成され、スリーブ構成部で、糊代部と、糊代部から第１折れ線を介して連設された方形状の外形を有する第１板状部と、第１板状部の第１折れ線とは反対側の辺部から第２折れ線を介して連設された方形状の外形を有する第２板状部と、第２板状部の第２折れ線とは反対側の辺部から第３折れ線を介して連設された方形状の外形を有する第３板状部と、第３板状部の第３折れ線とは反対側の辺部から第４折れ線を介して連設された方形状の外形を有する第４板状部とを有し、第１折れ線と第２折れ線と第３折れ線と第４折れ線とが互いに平行に形成されたスリーブ構成部と、スリーブ構成部における第１折れ線と平行な方向である第１方向の両側から突出して形成された複数のフラップからなるフラップ群で、第１板状部における相対する一対の辺部における各辺部から折れ線を介して連設されたフラップと、第２板状部における相対する一対の辺部における各辺部から折れ線を介して連設されたフラップと、第３板状部における相対する一対の辺部における各辺部から折れ線を介して連設されたフラップと、第４板状部における相対する一対の辺部における各辺部から折れ線を介して連設されたフラップとからなるフラップ群と、を有し、第１板状部と第３板状部の一方である第１対象板状部と、第１対象板状部から折れ線を介して連設された一対のフラップである第１対象フラップと第２対象フラップにおいて、第１対象フラップにおける第１対象板状部側とは反対側の端部から第１対象板状部を経て第２対象フラップにおける第１対象板状部側とは反対側の端部まで連続して形成された第１切目線と、第１対象フラップにおける第１対象板状部側とは反対側の端部から第１対象板状部を経て第２対象フラップにおける第１対象板状部側とは反対側の端部まで連続して形成された第２切目線とが、第１対象板状部と第１対象フラップと第２対象フラップとにおいて、第２方向における略中心位置を通る第１方向の仮想中心線を介して対称に互いに間隔を介して形成され、第１切目線は、第１対象フラップの第１対象板状部とは反対側の端部から第１対象板状部の第１対象フラップ側の端部領域まで第１方向に直線状に形成された第１部分と、第２対象フラップの第１対象板状部とは反対側の端部から第１対象板状部の第２対象フラップ側の端部領域まで第１方向に直線状に形成された第２部分と、第１部分と第２部分間に形成され、第１部分や第２部分よりも第２切目線側とは反対側に形成された第３部分とから構成され、第１部分と第２部分とが同一直線上に形成され、第２切目線は、第１対象フラップの第１対象板状部とは反対側の端部から第１対象板状部の第１対象フラップ側の端部領域まで第１方向に直線状に形成された第４部分と、第２対象フラップの第１対象板状部とは反対側の端部から第１対象板状部の第２対象フラップ側の端部領域まで第１方向に直線状に形成された第５部分と、第４部分と第５部分間に形成され、第４部分や第５部分よりも第１切目線側とは反対側に形成された第６部分とから構成され、第４部分と第５部分とが同一直線上に形成され
第１板状部と第３板状部の他方である第２対象板状部と、第２対象板状部から折れ線を介して連設された一対のフラップである第３対象フラップと第４対象フラップにおいて、第３切目線が、第３対象フラップにおける第２対象板状部側とは反対側の端部から第２対象板状部を経て第４対象フラップにおける第２対象板状部側とは反対側の端部まで連続して第１方向に直線状に形成されるとともに、第２対象板状部における第１方向とは直角方向である第２方向において略中心位置に形成され、糊代部を第４板状部に接着し、第１板状部と第３板状部とが互いに平行で、第２板状部と第４板状部とが互いに平行とすることによりスリーブ構成部がスリーブ状に構成され、スリーブ構成部がスリーブ状の状態で互いに隣接するフラップ同士を接着することにより包装箱が形成され、包装箱の状態で、第１切目線と第２切目線と第３切目線とを破断することにより、２つのトレー状の容器が形成されることを特徴とする。
【００１３】
第５の構成の包装箱用ブランクによれば、包装箱を分離して２つのトレーを形成することができる包装箱を１つのブランクにより形成することができるので、製造コストを抑えることができる。
【００１４】
また、第６には、上記第４又は第５の構成において、第３部分と第５部分とが略円弧状であることを特徴とする。
【００１５】
また、第７には、包装箱であって、包装箱が１枚のシート状のブランクにより形成され、スリーブ状部で、糊代部と、糊代部から第１折れ線を介して連設された方形状の外形を有する第１板状部と、第１板状部の第１折れ線とは反対側の辺部から第２折れ線を介して連設された方形状の外形を有する第２板状部と、第２板状部の第２折れ線とは反対側の辺部から第３折れ線を介して連設された方形状の外形を有する第３板状部と、第３板状部の第３折れ線とは反対側の辺部から第４折れ線を介して連設された方形状の外形を有する第４板状部とを有し、第１折れ線と第２折れ線と第３折れ線と第４折れ線とが互いに平行に形成されたスリーブ状部と、スリーブ状部における両側の開口部から突出して形成された複数のフラップからなるフラップ群で、第１板状部における相対する一対の辺部における各辺部から折れ線を介して連設されたフラップと、第２板状部における相対する一対の辺部における各辺部から折れ線を介して連設されたフラップと、第３板状部における相対する一対の辺部における各辺部から折れ線を介して連設されたフラップと、第４板状部における相対する一対の辺部における各辺部から折れ線を介して連設されたフラップとからなるフラップ群と、を有し、第１板状部と第３板状部の一方である第１対象板状部と、第１対象板状部から折れ線を介して連設された一対のフラップである第１対象フラップと第２対象フラップにおいて、第１対象フラップにおける第１対象板状部側とは反対側の端部から第１対象板状部を経て第２対象フラップにおける第１対象板状部側とは反対側の端部まで連続して形成された第１切目線と、第１対象フラップにおける第１対象板状部側とは反対側の端部から第１対象板状部を経て第２対象フラップにおける第１対象板状部側とは反対側の端部まで連続して形成された第２切目線とが、互いに間隔を介して形成され、第１板状部と第３板状部の他方である第２対象板状部と、第２対象板状部から折れ線を介して連設された一対のフラップである第３対象フラップと第４対象フラップにおいて、第３切目線が、第３対象フラップにおける第２対象板状部側とは反対側の端部から第２対象板状部を経て第４対象フラップにおける第２対象板状部側とは反対側の端部まで連続して形成され、スリーブ状部において第２対象板状部と隣接する板状部間の方向において略中心位置に形成され、糊代部が第４板状部に接着されるとともに、互いに隣接するフラップ同士が接着され、第１板状部と第３板状部とが互いに平行で、第２板状部と第４板状部とが互いに平行であり、第１切目線と第２切目線と第３切目線とを破断することにより、２つのトレー状の容器が形成されることを特徴とする。
【００１６】
第７の構成の包装箱によれば、包装箱を分離して２つのトレーを形成することができる包装箱を１つのブランクにより形成することができるので、製造コストを抑えることができる。
【００１７】
また、第８には、上記第７の構成において、第１切目線における第１対象板状部に形成された部分と、第２切目線における第２対象板状部に形成された部分とは、スリーブ状部において第１対象板状部と隣接する板状部間の方向で、第１折れ線の方向である第１方向と直角の方向である第２方向における略中心位置を通る仮想中心線で第１方向の仮想中心線を介して対称に形成されていることを特徴とする。よって、２つのトレー状の容器とした際に、容器の正面側（第１対象板状部側）が同一形状のトレー状の容器を得ることができる。
【００１８】
また、第９には、上記第７又は第８の構成において、第３切目線は、第２対象板状部に形成された直線状の第１部分と、第３対象フラップに形成され第１部分と直角の直線状に形成された第２部分と、第４対象フラップに形成され第１部分と直角の直線状に形成された第３部分とを有することを特徴とする。なお、上記各構成において、「略中心位置」は「略中央位置」としてもよい。
【考案の効果】
【００１９】
本考案に基づく包装箱用ブランク及び包装箱によれば、包装箱用ブランクによれば、包装箱を分離して２つのトレーを形成することができる包装箱を１つのブランクにより形成することができるので、製造コストを抑えることができる。
【図面の簡単な説明】
【００２０】
【図１】包装箱用ブランクの平面図である。
【図２】包装箱の前方上方斜視図である。
【図３】包装箱の前方後方斜視図である。
【図４】包装箱の前方下方斜視図である。
【図５】包装用ブランクによる包装工程を説明する斜視図である。
【図６】被収納物を包装した状態の包装箱の前方上方斜視図である。
【図７】トレー部に分割した状態の斜視図である。
【図８】図７において、被収納物を除いた状態を示す斜視図である。
【考案を実施するための形態】
【００２１】
本考案においては、包装箱を分離して２つのトレーを形成することができる包装箱であって、製造コストを抑えることができる包装箱と、該包装箱を形成するためのブランクを提供するという目的を以下のようにして実現した。
【００２２】
本考案に基づく包装箱５は、図１に示す包装箱用ブランク（以下「ブランク」とする）５’により形成されるものであり、ブランク５’は、１枚のシート状のブランク（具体的には、段ボール（特に、両面段ボール）により形成され、ブランク５’は、スリーブ構成部７と、スリーブ構成部７における各部から両側に突出したフラップ２２、２４、３２、３４、４２、４４、５２、５４とを有している。これら８つのフラップによりフラップ群が構成される。なお、以下の説明において、切目線は間隔を介して切込みを形成することにより形成され、切込みは、ブランクの一方の面から他方の面まで貫通して形成されている。
【００２３】
ここで、スリーブ構成部７は、糊代部１０と、正面部（第１板状部）２０と、底面部（第２板状部）３０と、背面部（第３板状部）４０と、上面部（第４板状部）５０とを有しており、糊代部１０、正面部２０、底面部３０、背面部４０、上面部５０の順に連設されている。糊代部１０は、台形形状の帯状を呈している。
【００２４】
また、正面部２０は、糊代部１０から折れ線Ｃ１を介して連設され、方形状を呈している。
【００２５】
この正面部２０の折れ線Ｃ１に沿った辺部に隣接する一対の辺部から折れ線Ｃ１１、Ｃ１２を介してフラップ２２、２４が連設されている。つまり、フラップ２２は、折れ線Ｃ１１を介して連設され、略台形形状を呈し、台形形状の先端の辺部の略中央に半円状の切欠部を形成した形状を呈している。フラップ２２の折れ線Ｃ１１から先端までの長さＬ１１は、正面部２０の幅（折れ線Ｃ１１と折れ線Ｃ１２間の長さ）Ｌ１の１／２よりも小さく形成され、また、底面部３０や上面部５０のＸ１−Ｘ２方向の長さの１／２よりも小さく形成されている。
【００２６】
また、フラップ２４は、折れ線Ｃ１１と平行な折れ線Ｃ１２を介して連設され、フラップ２２と対称（線対称）の形状を呈している。折れ線Ｃ１１、Ｃ１２は、折れ線Ｃ１と直角をなしている。
【００２７】
また、正面部２０とフラップ２２、２４には、一対の切目線Ｋ１、Ｋ２が形成されている。すなわち、切目線（第１切目線）Ｋ１は、フラップ２２の先端から正面部２０を経てフラップ２４の先端まで形成され、フラップ２２の先端から折れ線Ｃ１１を経て正面部２０のフラップ２４側の端部領域まで形成された切目線（第１部分）Ｋ１ａと、フラップ２４の先端から折れ線Ｃ１２を経て正面部２０のフラップ２２側の端部領域まで形成された切目線（第２部分）Ｋ１ｃと、切目線Ｋ１ａと切目線Ｋ１ｃ間に正面部２０に形成された切目線（第３部分）Ｋ１ｂとを有している。切目線Ｋ１ａと切目線Ｋ１ｃとは、折れ線Ｃ１と平行に形成され、直線状に形成されている。また、切目線Ｋ１ｂは、折れ線Ｃ２側に膨出した略円弧状を呈している。切目線Ｋ１ａと切目線Ｋ１ｃとは、同一直線上に形成され、切目線Ｋ１ａの位置（Ｘ１−Ｘ２方向の位置）は、切目線Ｋ１ａと折れ線Ｃ２間の長さＬ１２がフラップ３２の長さ（折れ線Ｃ２１から先端までのな長さ）Ｌ２１と略同一に形成されており、また、切目線Ｋ１ｃの位置（Ｘ１−Ｘ２方向の位置）は、切目線Ｋ１ｃと折れ線Ｃ２間の長さＬ１３がフラップ３４の長さ（折れ線Ｃ２２から先端までのな長さ）Ｌ２２と略同一に形成されている。
【００２８】
また、切目線（第２切目線）Ｋ２は、切目線Ｋ１と対称（線対称）に形成され（つまり、正面部２０とフラップ２２、２４において、Ｘ１−Ｘ２方向（第２方向）における中心位置（略中心位置としてもよい）を通るＹ１−Ｙ２方向（第１方向）の仮想中心線Ｔを介して対称に形成されている）、切目線（第４部分）Ｋ２ａと、切目線（第６部分）Ｋ２ｂと、切目線（第５部分）Ｋ２ｃとを有し、切目線Ｋ２ａは切目線Ｋ１ａと対称に形成され、切目線Ｋ２ｂは切目線Ｋ１ｂと対称に形成され（切目線Ｋ２ｂは、折れ線Ｃ１側に膨出している）、切目線Ｋ２ｃは切目線Ｋ１ｃと対称に形成されている。切目線Ｋ２ａと切目線Ｋ２ｃとは、同一直線上に形成され、切目線Ｋ２ａの位置（Ｘ１−Ｘ２方向の位置）は、切目線Ｋ２ａと折れ線Ｃ１間の長さＬ１４がフラップ５２の長さ（折れ線Ｃ４１から先端までの長さ）Ｌ４１と略同一に形成されており、また、切目線Ｋ２ｃの位置（Ｘ１−Ｘ２方向の位置）は、切目線Ｋ２ｃと折れ線Ｃ１間の長さＬ１５がフラップ５４の長さ（折れ線Ｃ４２から先端までの長さ）Ｌ４２と略同一に形成されている。
【００２９】
上記のように、切目線Ｋ１、Ｋ２が、正面部２０、フラップ２２、２４に形成されているので、正面部２０が第１対象板状部となり、フラップ２２、２４の一方が第１対象フラップとなり、他方が第２対象フラップとなる。
【００３０】
なお、正面部２０において、切目線Ｋ１と切目線Ｋ２間の領域が第１領域２０ａとなり、切目線Ｋ１よりも底面部３０側の領域が第２領域２０ｂとなり、切目線Ｋ２よりも糊代部１０側の領域が第３領域２０ｃとなる。
【００３１】
また、フラップ２２において、切目線Ｋ１と切目線Ｋ２間の領域が第１領域２２ａとなり、切目線Ｋ１よりも底面部３０側の領域が第２領域２２ｂとなり、切目線Ｋ２よりも糊代部１０側の領域が第３領域２２ｃとなる。
【００３２】
また、フラップ２４において、切目線Ｋ１と切目線Ｋ２間の領域が第１領域２４ａとなり、切目線Ｋ１よりも底面部３０側の領域が第２領域２４ｂとなり、切目線Ｋ２よりも糊代部１０側の領域が第３領域２４ｃとなる。
【００３３】
切目線Ｋ１と切目線Ｋ２とが、仮想中心線Ｔを介して対称に形成されているので、２つのトレー部１００、１１０とした際に、２つのトレー部において、正面側（第２領域２０ｂ側、第３領域２０ｃ側）が同一形状とすることができる。
【００３４】
また、底面部３０は、正面部２０から折れ線Ｃ２を介して連設され、方形状を呈している。底面部３０の幅（折れ線Ｃ２１と折れ線Ｃ２２間の長さ）Ｌ２は、正面部２０の幅Ｌ１と略同一で、幅Ｌ１より若干小さく形成されている。
【００３５】
この底面部３０の折れ線Ｃ２に沿った辺部に隣接する一対の辺部から折れ線Ｃ２１、Ｃ２２を介してフラップ３２、３４が連設されている。つまり、フラップ３２は、折れ線Ｃ２１を介して連設され、略長方形状を呈している。フラップ３２の折れ線Ｃ２１から先端までの長さＬ２１は、底面部３０の幅（折れ線Ｃ２１と折れ線Ｃ２２間の長さ）Ｌ２の１／２よりも小さく形成され、また、正面部２０や背面部４０のＸ１−Ｘ２方向の長さの１／２よりも小さく形成されている。
【００３６】
また、フラップ３４は、折れ線Ｃ２１と平行な折れ線Ｃ２２を介して連設され、フラップ３２と対称（線対称）の形状を呈している。折れ線Ｃ２１、Ｃ２２は、折れ線Ｃ２と直角をなしている。
【００３７】
また、背面部４０は、底面部３０から折れ線Ｃ３を介して連設され、方形状を呈している。背面部４０の幅（折れ線Ｃ３１と折れ線Ｃ３２間の長さ）Ｌ３は、正面部２０の幅Ｌ１と同一に形成されている。
【００３８】
また、この背面部４０の折れ線Ｃ３に沿った辺部に隣接する一対の辺部から折れ線Ｃ３１、Ｃ３２を介してフラップ４２、４４が連設されている。つまり、フラップ４２は、折れ線Ｃ３１を介して連設され、略台形形状を呈している。フラップ４２の折れ線Ｃ３１から先端までの長さＬ３１は、背面部４０の幅（折れ線Ｃ３１と折れ線Ｃ３２間の長さ）Ｌ３の１／２よりも小さく形成され、また、底面部３０や上面部５０のＸ１−Ｘ２方向の長さの１／２よりも小さく形成されている。
【００３９】
また、フラップ４４は、折れ線Ｃ３１と平行な折れ線Ｃ３２を介して連設され、フラップ４２と対称（線対称）の形状を呈している。折れ線Ｃ３１、Ｃ３２は、折れ線Ｃ３と直角をなしている。
【００４０】
また、背面部４０とフラップ４２、４４には、切目線Ｋ３が形成されている。つまり、フラップ４２の先端から背面部４０を経てフラップ４４の先端まで直線状の切目線（第３切目線）Ｋ３が形成されている。この切目線Ｋ３は、折れ線Ｃ３と平行に形成され、折れ線Ｃ３と折れ線Ｃ４と等距離の位置に形成されている。切目線Ｋ３における背面部４０に形成された部分が第１部分となり、フラップ４２に形成された部分とフラップ４４に形成された部分の一方が第２部分となり、他方が第３部分となる。
【００４１】
上記のように、切目線Ｋ３が、背面部４０、フラップ４２、４４に形成されているので、背面部４０が第２対象板状部となり、フラップ４２、４４の一方が第３対象フラップとなり、他方が第４対象フラップとなる。
【００４２】
なお、背面部４０において、切目線Ｋ３よりも上面部５０側の領域がが第１領域４０ａとなり、切目線Ｋ３よりも底面部３０側の領域が第２領域４０ｂとなる。
【００４３】
また、フラップ４２において、切目線Ｋ３よりも上面部５０側の領域がが第１領域４２ａとなり、切目線Ｋ３よりも底面部３０側の領域が第２領域４２ｂとなる。
【００４４】
また、フラップ４４において、切目線Ｋ３よりも上面部５０側の領域がが第１領域４４ａとなり、切目線Ｋ３よりも底面部３０側の領域が第２領域４４ｂとなる。
【００４５】
また、フラップ４２の第１領域４２ａと第２領域４２ｂには、それぞれ楕円形の開口部４２Ｋ−１と開口部４２Ｋ−２が形成されている。また、フラップ４４の第１領域４４ａと第２領域４４ｂには、それぞれ楕円形の開口部４４Ｋ−１と開口部４４Ｋ−２が形成されている。
【００４６】
また、上面部５０は、背面部４０から折れ線Ｃ４を介して連設され、方形状を呈している。上面部５０の幅（折れ線Ｃ４１と折れ線Ｃ４２間の長さ）Ｌ４は、底面部３０の幅Ｌ２と同一に形成されている。
【００４７】
この上面部５０の折れ線Ｃ４に沿った辺部に隣接する一対の辺部から折れ線Ｃ４１、Ｃ４２を介してフラップ５２、５４が連設されている。つまり、フラップ５２は、折れ線Ｃ４１を介して連設され、略長方形状を呈している。フラップ５２の折れ線Ｃ４１から先端までの長さＬ４１は、上面部５０の幅（折れ線Ｃ４１と折れ線Ｃ４２間の長さ）Ｌ４の１／２よりも小さく形成され、また、正面部２０や背面部４０のＸ１−Ｘ２方向の長さの１／２よりも小さく形成されている。
【００４８】
また、フラップ５４は、折れ線Ｃ４１と平行な折れ線Ｃ２２を介して連設され、フラップ５２と対称（線対称）の形状を呈している。折れ線Ｃ４１、Ｃ４２は、折れ線Ｃ４と直角をなしている。
【００４９】
つまり、上面部５０は底面部３０と同一の構成であり、フラップ５２はフラップ３２と同一の構成であり、フラップ５４はフラップ３４と同一の構成となっている。
【００５０】
また、折れ線Ｃ１と折れ線Ｃ２と折れ線Ｃ３と折れ線Ｃ４とは互いに平行であり、フラップ２２の先端の辺部と、フラップ３２の先端の辺部と、フラップ４２の先端の辺部と、フラップ５２の先端の辺部とは同一直線上に形成され、フラップ２４の先端の辺部と、フラップ３４の先端の辺部と、フラップ４４の先端の辺部と、フラップ５４の先端の辺部とは同一直線上に形成されている。
【００５１】
上記構成のブランク５’を組み立てて構成した包装箱５は、図２〜図４に示すように構成され、スリーブ構成部７を筒状として上面部５０の折れ線Ｃ４と反対側の辺部を折れ線Ｃ１に合わせた（当接した）状態で、糊代部１０が上面部５０の外側の面に接着され、フラップ３２が、底面部３０に対して折曲したフラップ３２の外側の面と上面部５０に対して折曲したフラップ５２の外側の面に接着され、フラップ３４が、底面部３０に対して折曲したフラップ３４の外側の面と上面部５０に対して折曲したフラップ５４の外側の面に接着され、また、フラップ４２が、底面部３０に対して折曲したフラップ３２の外側の面と上面部５０に対して折曲したフラップ５２の外側の面に接着され、フラップ４４が、底面部３０に対して折曲したフラップ３４の外側の面と上面部５０に対して折曲したフラップ５４の外側の面に接着されている。
【００５２】
また、包装箱５の状態では、正面部２０は背面部４０と平行であり、底面部３０は上面部５０と平行となっている。つまり、正面部２０は、底面部３０及び上面部５０と直角をなし、背面部４０は、底面部３０及び上面部５０と直角をなしている。
【００５３】
上記構成のブランク５’の使用状態について説明する。ブランク５’は、自動製函装置に被収納物を収納しながら包装箱５に組み立てていく。つまり、展開状態のブランク５’に被収納物を載置し、その後、ブランク５’を組み立てて包装箱５とする。
【００５４】
まず、予め、フラップ４２のフラップ３２、５２との接着領域と、フラップ４４のフラップ３４、５４との接着領域と、フラップ２２のフラップ３２、５２との接着領域と、フラップ２４のフラップ３４、５４との接着領域と、糊代部１０に接着剤を塗布する。なお、
フラップ４２のフラップ３２、５２との接着領域の代わりに、フラップ３２、５２のフラップ４２との接着領域に接着剤を塗布してもよく、フラップ４４のフラップ３４、５４の代わりに、フラップ３４、５４のフラップ４４との接着領域に接着剤を塗布してもよく、また、フラップ２２のフラップ３２、５２との接着領域の代わりに、フラップ３２、５２のフラップ２２との接着領域に接着剤を塗布してもよく、また、フラップ２４のフラップ３４、５４との接着領域の代わりに、フラップ３４、５４のフラップ２４との接着領域に接着剤を塗布してもよく、糊代部１０の代わりに、上面部５０の糊代部１０との接着領域に接着剤を塗布してもよい。
【００５５】
具体的には、展開状態のブランク５’の背面部４０上に被収納物Ｇを配置する。すなわち、背面部４０の第１領域４０ａに被収納物Ｇを配置するとともに（例えば、複数の被収納物Ｇを重ねた状態で配置する）、背面部４０の第２領域４０ｂに被収納物Ｇを配置する（例えば、複数の被収納物Ｇを重ねた状態で配置する）。
【００５６】
その後、底面部３０と上面部５０とを背面部４０に対して折曲し、フラップ３２とフラップ３４を底面部３０に対して折曲するとともに、フラップ５２とフラップ５４を上面部５０に対して折曲する。つまり、底面部３０と上面部５０とを背面部４０に対して直角の状態で、かつ、フラップ３２とフラップ３４を底面部３０に対して直角の状態で、フラップ５２とフラップ５４を上面部５０に対して直角の状態とする。
【００５７】
その状態で、背面部４０のフラップ４２、４４を背面部４０に対して折曲して、フラップ４２をフラップ３２とフラップ５２に接着させ、フラップ４４をフラップ３４とフラップ５４に接着させる（図５参照）。
【００５８】
その後、正面部２０を底面部３０に対して折曲し、フラップ２２、２４と糊代部１０を正面部２０に対して折曲して、フラップ２２をフラップ３２とフラップ５２に接着させ、フラップ２４をフラップ３４とフラップ５４に接着させる。以上のようにして、図６に示すように、被収納物Ｇを収納するとともに、包装箱５を組み立てた状態とする。
【００５９】
被収納物Ｇを収納するとともに組み立てられた包装箱５を被収納物Ｇの陳列場所に搬送する場合には、底面部３０側を下側として搬送する。つまり、正面部２０や背面部４０には切目線が形成されているので、包装箱の強度をより保つためには底面部３０を下側とするのが好ましい。なお、底面部３０の代わりに、上面部５０を下側として搬送してもよい。
【００６０】
被収納物Ｇを収納した包装箱５を被収納物Ｇの陳列場所に搬送したら、切目線Ｋ１、Ｋ２を破断するとともに、切目線Ｋ３を破断する。切目線Ｋ１、Ｋ２の破断に際しては、フラップ２２の第１領域２２ａに設けられた半円状の切欠きに指を掛けて第１領域２２ａを引っ張ることにより破断するか、又は、フラップ２４の第１領域２４ａに設けられた半円状の切欠きに指を掛けて第１領域２４ａを引っ張ることにより破断する。具体的には、正面部２０を上側にした状態で載置面に載置し、切目線Ｋ１、Ｋ２を破断して、第１領域２０ａ、２２ａ、２４ａを除去し、その後、切目線Ｋ３を破断する。
【００６１】
その後、立設した状態の底面部３０と上面部５０とを載置面側に回動させて、底面部３０と上面部５０とが載置面に接するようにすることにより、図７に示すように、被収納物Ｇを収納した状態の２つのトレー部（つまり、トレー部１００とトレー部１１０）を得ることができる。このトレー部１００とトレー部１１０は、ともに、包装箱５の半分の構成からなるものである。底面部３０を底面に有する方がトレー部１００であり、上面部５０を底面に有する方がトレー部１１０となる。図７において、被収納物Ｇを取り出した状態は図８に示すようになる。
【００６２】
以上のようにして、被収納物Ｇを収納した状態の２つのトレー部１００、１１０を得ることができるので、これらを被収納物Ｇの陳列場所に陳列する。トレー部１００、１１０の陳列に際しては、包装箱５の状態の際に正面側であった側（トレー部１００では、第２領域２０ｂ、トレー部１１０では、第３領域２０ｃ）を正面側として陳列する。
【００６３】
被収納部物Ｇを取り出すには、トレー部１００、１１０の上方が開口しているので、トレー部１００、１１０の正面側（トレー部１００では、第２領域２０ｂ側、トレー部１１０では、第３領域２０ｃ側）から被収納物Ｇを取り出せばよい。なお、トレー部１００における第２領域２０ｂやトレー部１１０における第３領域２０ｃには、円弧状の切目線Ｋ１ｂ、Ｋ２ｂに沿って形成された円弧状の切欠部Ｋ１００が形成されるので、被収納物Ｇを正面側から見やすくすることができる。
【００６４】
以上のように、本実施例のブランク５’及び包装箱５によれば、包装箱を分離して２つのトレーを形成することができる包装箱を１つのブランクにより形成することができるので、製造コストを抑えることができる。
【００６５】
なお、上記の説明において、切目線Ｋ１、Ｋ２は、正面部２０とフラップ２２、２４に形成され、切目線Ｋ３は、背面部４０とフラップ４２、４４に形成されているとしたが、切目線Ｋ１、Ｋ２を背面部４０とフラップ４２、４４に形成し、切目線Ｋ３を正面部２０とフラップ２２、２４に形成してもよい。
【００６６】
また、上記の説明においては、切目線Ｋ１、Ｋ２において、円弧状の切目線Ｋ１ｂ、Ｋ２ｂが設けられているが、円弧状の切目線ではなく両側の切目線Ｋ１ａ、Ｋ１ｃや切目線Ｋ２ａ、Ｋ２ｃとともに１つの直線状の切目線を構成するように構成して、切目線Ｋ１や切目線Ｋ２を直線状の切目線としてもよい。
【００６７】
また、切目線Ｋ１ｂ、Ｋ２ｂを円弧状ではなく、凹状（略Ｕ字状としてもよい）としてもよく、切目線Ｋ１ｂを正面部２０において切目線Ｋ１ａ、Ｋ１ｃの外側となるようにし、切目線Ｋ２ｂを正面部２０において切目線Ｋ２ａ、Ｋ２ｃの外側となるようにすれば切目線Ｋ１ｂ、Ｋ２ｂは他の形状（例えば、Ｖ字状）でもよい。
【符号の説明】
【００６８】
５  包装箱
５’  ブランク
１０  糊代部
２０  正面部
２０ａ、２２ａ、２４ａ、４０ａ、４２ａ、４４ａ  第１領域
２０ｂ、２２ｂ、２４ｂ、４０ｂ、４２ｂ、４４ｂ  第２領域
２０ｃ、２２ｃ、２４ｃ  第３領域
２２、２４，３２、３４、４２、４４、５２、５４  フラップ
３０  底面部
４０  背面部
５０  上面部
Ｋ１、Ｋ２、Ｋ３  切目線
【図１】
0003180230.tif 000003
【図２】
0003180230.tif 000004
【図３】
0003180230.tif 000005
【図４】
0003180230.tif 000006
【図５】
0003180230.tif 000007
【図６】
0003180230.tif 000008
【図７】
0003180230.tif 000009
【図８】
0003180230.tif 000010